(57)【要約】      （修正有）【課題】ゴルフプレイ中において、隣接する近隣ホール等を回る他のパーティ等に向けてミスショットによる危険球が飛び出した場合の危険状態を的確に報知することができるゴルフ危険球の警告音発呼システムを提供する。【解決手段】ゴルフ危険球の警告音発呼システム１は、危険ボタン２４を備え、この危険ボタン２４の押下操作により端末無線送受信部から危険信号を無線送信する無線操作端末２１と、ゴルフ用のカート２に設けられるとともに、危険信号を本体無線送受信部により無線受信し、危険信号を基に予め記憶した「ファー」又はこれに類似する音声（警告音）を発音するための音声情報を出力する本体３と、カート２に設けられ、音声情報を基に危険球の発生を意味する「ファー」又はこれに類似する音声からなる警告音を発呼するスピーカ５とを有するものである。【選択図】図１
2018060434.tif 000002
【特許請求の範囲】
【請求項１】
ゴルフプレイ中における危険球の発生を報知するゴルフ危険球の警告音発呼システムであって、
ボタン操作により危険信号を無線送信する無線操作端末と、
ゴルフ用のカートに設けられ、前記危険信号を無線受信してゴルフプレイ中における危険球の発生を意味する警告音情報を出力する本体と、
ゴルフ用のカートに設けられ、前記警告音情報を基に危険球の発生を意味する警告音を発呼する発音手段と、
を有することを特徴とするゴルフ危険球の警告音発呼システム。
【請求項２】
ゴルフプレイ中における危険球の発生を報知するゴルフ危険球の警告音発呼システムであって、
危険ボタンを備え、この危険ボタンの押下操作により端末無線送受信部から危険信号を無線送信する無線操作端末と、
ゴルフ用のカートに設けられるとともに、前記危険信号を本体無線送受信部により無線受信し、前記危険信号を基に予め記憶した「ファー」又はこれに類似する危険を警告する音声を発生するための音声情報を出力する本体と、
ゴルフ用のカートに設けられ、前記音声情報を基に危険球の発生を意味する「ファー」又はこれに類似する警告音を発呼する発音手段と、
を有することを特徴とするゴルフ危険球の警告音発呼システム。
【請求項３】
ゴルフプレイ中における危険球の発生を報知するゴルフ危険球の警告音発呼システムであって、
危険ボタンを備え、この危険ボタンの押下操作により端末無線送受信部から危険信号を無線送信する無線操作端末と、
前記無線操作端末と無線交信する本体無線送受信部と、「ファー」又はこれに類似する危険を警告する音声を発生するための音声情報を記憶する音声情報記憶部と、前記音声情報に関する発呼回数、発呼時間、発呼音量、発呼音色等の発音条件情報を設定入力する入力操作部と、前記入力操作部からの発音条件情報を記憶する発音条件情報記憶部と、前記音声情報、発音条件情報を基に実際に発音するための発音情報を作成し出力する発音情報作成部と、を有し、ゴルフ用のカートに設けた本体と、
ゴルフ用のカートに設けられ、「ファー」又はこれに類似する音声を設定した発音条件で危険球の警告音として外部に発呼するスピーカと、
を有することを特徴とするゴルフ危険球の警告音発呼システム。
【発明の詳細な説明】
【技術分野】
【０００１】
本発明は、ゴルフプレイ中における危険球の打ち込みを知らせるゴルフ危険球の警告音発呼システムに関するものであり、詳しくは、ゴルフプレイ中において、隣接する近隣ホール等を回る他のパーティ等に向けてミスショットによる危険球が飛び出した場合の危険状態を的確に報知することができるゴルフ危険球の警告音発呼システムを提供するものである。
【背景技術】
【０００２】
ゴルフ場でのゴルフプレイ中において、隣接するホールを回る他のパーティや、同一ホールを回る先行パーティに向けてミスショットによる危険球を打ち込んでしまう場合、同行するキャディ、同伴競技者が「ファー」と大声で叫んで危険状態を報知しているのが実情である。
【０００３】
最近ではキャディが同行しないセルフ方式のプレイスタイルも増加しており、このような場合にはミスショットしたプレイヤーや同伴プレイヤーが大声で叫び危険状態を報知する必要が生じる。
【０００４】
しかし、ミスショットしたプレイヤーや同伴プレイヤーによる大声の発呼のタイミングが遅れたり、発呼の音量が小さかったりして的確に危険状態の報知を実行できず、隣接するホールを回る他のパーティや、同一ホールを回る先行パーティのプレイヤーに危険球が当たってしまうという危険な事態を招来するという問題がある。
【０００５】
特許文献１には、複数のカート間でゴルフに関する楽音や音声等の種々の情報を送受信可能に構成するとともに、あるホールにおいてミスショットが発生し危険球が飛び出した場合に、当該ホールの同伴プレイヤーがリモコンを操作し、無線で危険信号を当該ホールにいるカートに設けた発音装置に送信し、その発音装置は危険信号を受信して他のホールにいるカートに設けた発音装置に危険信号を無線送信し、当該発音装置は前記危険信号を受信してこれを基に警告音等を発音する機能を一部に含むように構成し、これにより、他のホール等にいるプレイヤーに危険報知を行うこともできるようにした情報発音装置が開示されている。
【０００６】
しかし、この特許文献１の情報発音装置の場合、危険球の報知に関する機能を一部として有するものの、全体としてゴルフに関する楽音や各種音声等の種々の情報を送受信するための極めて複雑で高価な構成からなるものである。
【先行技術文献】
【特許文献】
【０００７】
【特許文献１】特開２００４−３５１１５７号公報
【発明の概要】
【発明が解決しようとする課題】
【０００８】
本発明は、上記従来の事情に鑑みてなされたものであり、簡略安価な構成の基に、ゴルフプレイ中において、隣接するホール等を回る他のパーティ等に向けてミスショットによる危険球が飛び出した場合の危険状態を的確に報知することができるゴルフ危険球の警告音発呼システムを提供する。
【課題を解決するための手段】
【０００９】
本発明に係るゴルフ危険球の警告音発呼システムは、ゴルフプレイ中における危険球の発生を報知するゴルフ危険球の警告音発呼システムであって、ボタン操作により危険信号を無線送信する無線操作端末と、ゴルフ用のカートに設けられ、前記危険信号を無線受信してゴルフプレイ中における危険球の発生を意味する警告音情報を出力する本体と、ゴルフ用のカートに設けられ、前記警告音情報を基に危険球の発生を意味する警告音を発呼する発音手段と、を有することを最も主要な特徴とする。
【発明の効果】
【００１０】
請求項１記載の発明によれば、簡略安価な構成の基に、無線操作端末のボタン操作によりゴルフ用のカートに設けた本体に危険信号を無線送信し、本体から危険球の発生を意味する警告音情報をカートに設けた発音手段に伝送し、発音手段から危険球の発生を意味する警告音を発呼することにより、ゴルフプレイ中にミスショットによる危険球が飛び出した場合の危険状態を的確に他のプレイヤーに報知することができるゴルフ危険球の警告音発呼システムを実現し提供することができる。
【００１１】
請求項２記載の発明によれば、請求項１記載の発明と同様に、簡略安価な構成の基に、無線操作端末の危険ボタンの操作によりゴルフ用のカートに設けた本体の本体無線送受信部に危険信号を無線送信し、本体から予め記憶した「ファー」又はこれに類似する危険を警告する音声を発音するための音声情報をカートに設けた発音手段に伝送し、発音手段から「ファー」又はこれに類似する危険を警告する音声を発呼することにより、ゴルフプレイ中にミスショットによる危険球が飛び出した場合の危険状態を的確に他のプレイヤーに報知することができるゴルフ危険球の警告音発呼システムを実現し提供することができる。
【００１２】
請求項３記載の発明によれば、簡略安価な構成の基に、請求項２記載の発明と同様な効果を奏し、かつ、「ファー」又はこれに類似する危険を警告する音声の発呼回数、発呼時間、発呼音量、発呼音色等の発音条件も変更可能であるため、ゴルフ場の自然環境（風の強弱や降雨の程度等）に対応してより的確に他のプレイヤーに対して危険状態を報知することができるゴルフ危険球の警告音発呼システムを実現し提供することができる。
【図面の簡単な説明】
【００１３】
【図１】図１は本発明の実施例に係るゴルフ危険球の警告音発呼システムの全体構成を示す概略外観図である。
【図２】図２は本実施例に係るゴルフ危険球の警告音発呼システムにおける本体の構成を示す概略ブロック図である。
【図３】図３は本実施例に係るゴルフ危険球の警告音発呼システムにおける無線操作端末の構成を示す概略ブロック図である。
【図４】図４は本実施例に係るゴルフ危険球の警告音発呼システムの危険球発生時における動作の流れを示すフローチャートである。
【図５】図５はゴルフホールにおける危険球発生時のゴルフ球の飛球軌跡を示す説明図である。
【発明を実施するための形態】
【００１４】
本発明は、簡略安価な構成の基に、ゴルフプレイ中において、隣接するホール等を回る他のパーティ等に向けてミスショットによる危険球が飛び出した場合の危険状態を的確に報知することができるゴルフ危険球の警告音発呼システムを実現し提供するという目的を、危険ボタンを備え、この危険ボタンの押下操作により端末無線送受信部から危険信号を無線送信する無線操作端末と、前記無線操作端末と無線交信する本体無線送受信部と、「ファー」又はこれに類似する危険を警告する音声を発生するための音声情報を記憶する音声情報記憶部と、前記音声情報に関する発呼回数、発呼時間、発呼音量、発呼音色等の発音条件情報を設定入力する入力操作部と、前記入力操作部からの発音条件情報を記憶する発音条件情報記憶部と、前記音声情報、発音条件情報を基に実際に発音するための発音情報を作成し出力する発音情報作成部と、を有し、ゴルフ用のカートに設けた本体と、ゴルフ用のカートに設けられ、「ファー」又はこれに類似する音声を設定した発音条件で危険球の警告音として外部に発呼するスピーカと、を有する構成により実現した。
【実施例】
【００１５】
以下、図面を参照して、本発明の実施例に係るゴルフ危険球の警告音発呼システムについて詳細に説明する。
【００１６】
本実施例に係るゴルフ危険球の警告音発呼システム１は、図１に示すように、ゴルフ場におけるゴルフプレイ時に使用するカート（ゴルフカート）２に搭載した本体３と、前記本体３に電気ケーブル４で接続されるとともに前記カート２の例えば天板部６に取り付けた発音手段であるスピーカ５と、前記本体３との間で無線にて各種信号の送受信を行う無線操作端末（リモートコントローラ）２１と、を有している。
【００１７】
前記本体３は、図２に示すように、本実施例に係るゴルフ危険球の警告音発呼システム１全体の動作を実行する本体制御部６と、本実施例に係るゴルフ危険球の警告音発呼システム１全体の動作を実行するためにペアリングプログラムを含む動作プログラムを格納したプログラムメモリ７と、無線操作端末２１と無線交信する本体無線送受信部８と、例えば「ファー」又はこれに類似する危険を警告するための音声を発音するための音声情報を記憶する音声情報記憶部９と、前記音声情報に関する発呼回数、発呼時間、後述するデジタルアンプ１３のゲイン（発呼音量）、発呼音色（例えば遠くにいる人でも聴感指向性を利用して聞き易くするためのエコー）等の発音条件情報を設定入力する入力操作部１０と、前記入力操作部１０からの発音条件情報を記憶する発音条件情報記憶部１１と、前記音声情報、発音条件情報を基に実際に発音するための発音情報を作成し出力する発音情報作成部１２と、前記発音情報を増幅し電気ケーブル４を介して前記スピーカ５に伝送するデジタルアンプ１３と、前記ペアリングプログラムに基づき本体無線送受信部８と後述する端末無線送受信部２３との間のペアリング処理を実行するペアリング処理部１５と、を有している。をかけ、
【００１８】
そして、前記スピーカ１４により、増幅された前記発音情報を基に、例えば「ファー」又はこれに類似する音声を既述したようにして設定した発音条件で危険球の警告音として外部に発呼するように構成している。
【００１９】
前記無線操作端末２１は、図３に示すように、片手操作可能に構成した小型の筐体２１Ａを具備し、この筐体２１Ａに、前記無線操作端末２１自体の動作制御を行う端末制御部２２と、本体無線送受信部８との間で無線交信する端末無線送受信部２３と、危険球発生時に例えば同伴プレイヤーが操作する危険ボタン２４と、ペアリング処理時に動作する赤色ＬＥＤ２５、及び青色ＬＥＤ２６と、前記カート２をカート道上で発進させたり、停止させたりする際にプレイヤーが操作する発進・停止ボタン２７と、を組み込んでいる。
【００２０】
なお、前記カート２自体の前進、停止駆動の詳細機能については説明を省略する。
【００２１】
また、前記本体無線送受信部８と端末無線送受信部２３との間の無線通信方式としては、Bluetooth（登録商標）通信、Bluetooth LE（Bluetooth Low Energy）通信、赤外線通信等、種々の方式があり、本発明においては特に限定するものではないが、前記危険ボタン２４を押してから、発呼されるまでの時間が迅速な（例えば０．５秒以内等）、すなわち、Ｌｏｗ  Ｄｅｌａｙの無線方式が好ましい。
【００２２】
次に、本実施例に係るゴルフ危険球の警告音発呼システム１の危険球発生時における動作について図４、図５をも参照して説明する。
【００２３】
本実施例に係るゴルフ危険球の警告音発呼システム１においては、あるホールにおけるゴルフプレイ開始に先立って、公知の技術ではあるが前記本体無線送受信部８と端末無線送受信部２３との間のペアリング処理を実行する。
【００２４】
すなわち、前記本体無線送受信部８、端末無線送受信部２３を各々動作可能な状態とする。このとき、端末無線送受信部２３の赤色ＬＥＤ２５が赤色発光する。
【００２５】
次に、前記端末無線送受信部２３を本体３に向け、端末無線送受信部２３の危険ボタン２４を例えば３秒間長押しする。
【００２６】
これにより、前記端末無線送受信部２３と本体無線送受信部８との間で無線交信が行われ、ペアリングプログラムに基づくペアリング処理部１５の動作で本体無線送受信部８と端末無線送受信部２３とがペアリングされ、赤色ＬＥＤ２５が消灯し青色ＬＥＤ２６が青色発光する。
【００２７】
これ以降、端末無線送受信部２３から本体無線送受信部８への無線信号の送信が何時でも可能となる。
【００２８】
ゴルフ場のあるホールにおけるゴルフプレイが開始され、例えばあるプレイヤーのミスショットにより図５に示すような隣接ホールに飛び込むようなゴルフ球（危険球）Ｂが発生した場合には、前記プレイヤー以外の同伴プレイヤーが自己の手に持った無線操作端末２１の危険ボタン２４を１回押下する。
【００２９】
危険ボタン２４が押下されると、その押下信号が端末制御部２２の制御の基に危険信号として端末無線送受信部２３から前記カート２における本体３に設けた本体無線送受信部８に無線送信される。
【００３０】
無線操作端末２１からの危険信号を受信した本体３においては、前記危険信号を基に本体制御部６の制御により発音情報作成部１２が前記音声情報、発音条件情報を基に実際に発音するための発音情報を作成しデジタルアンプ１３に出力する。
【００３１】
デジタルアンプ１３は前記発音情報を増幅し、前記スピーカ５に伝送する。
【００３２】
これにより、スピーカ１４が例えば「ファー」又はこれに類似する音声（警告音）を大音量で発呼し、隣接ホールに存在する他のプレイヤーに危険状態を報知する。
【００３３】
このようにして、ゴルフ場のあるホールにおいて隣接ホールに飛び込むような危険球が発生した場合に、前記無線操作端末２１の危険ボタン２４を１回押下するだけの極めて簡略な操作だけで、隣接ホールに存在する他のプレイヤーに危険状態を報知し注意を喚起することができ、ゴルフプレイ時の安全性向上に資することができる。
【００３４】
また、「ファー」又はこれに類似する音声からなる警告音の発呼回数、発呼時間、発呼音量、発呼音色等の発音条件も変更可能であるため、ゴルフ場の自然環境（晴天、曇天、風の強弱や降雨の程度等）に対応して最適化した警告音をもってより的確に他のプレイヤーに対して危険状態を報知することもできる。
【００３５】
上述した例では、隣接ホールに飛び込むような危険球が発生した場合の動作について説明したが、これに限らず、同一ホールにおいて先行するグループに打ち込むような危険球が発生した場合においても、上述した場合と同様な簡略な操作だけで、先行するグループに向けて例えば「ファー」又はこれに類似する音声を大音量で発呼することにより、先行するグループのプレイヤーに危険状態を報知し注意を喚起することができ、この場合もゴルフプレイ時の安全性向上に資することができる。
【００３６】
また、本実施例に係るゴルフ危険球の警告音発呼システム１によれば、前記カート２に設けた本体３及びスピーカ５と、前記無線操作端末２１との組み合わせにより構成しているので、ティーグラウンドでのティーショットにおける危険球の発生に限らず、第２打地点、第３打地点等での危険球の発生という事態にも上述した場合と同様に速やかに対応してゴルフプレイ時のプレイヤーの安全性向上に資することができる。
【００３７】
更にまた、本実施例に係るゴルフ危険球の警告音発呼システム１によれば、前記本体３及びスピーカ５と、前記無線操作端末２１との組み合わせからなるシテム構成を、ゴルフ場の各ホールを走行しているすべてのカート２に採用することで、ゴルフ場の各ホールで各々ゴルフプレイを行っている各グループのプレイヤー全員の安全性向上に資することができる。
【産業上の利用可能性】
【００３８】
本発明は、上述した場合の他、例えばゴルフ練習場における危険球報知手段や、野球場におけるファールボールの危険予防手段等として応用可能である。
【符号の説明】
【００３９】
１    警告音発呼システム
２    カート
２ａ  天板部
３    本体
４    電気ケーブル
５    スピーカ
６    本体制御部
７    プログラムメモリ
８    本体無線送受信部
９    音声情報記憶部
１０    入力操作部
１１    発音条件情報記憶部
１２    発音情報作成部
１３    デジタルアンプ
１４    スピーカ
１５    ペアリング処理部
２１    無線操作端末
２１Ａ  筐体
２２    端末制御部
２３    端末無線送受信部
２４    危険ボタン
２５    赤色ＬＥＤ
２６    青色ＬＥＤ
２７    発進・停止ボタン
Ｂ    ゴルフ球
【図１】
2018060434.tif 000003
【図２】
2018060434.tif 000004
【図３】
2018060434.tif 000005
【図４】
2018060434.tif 000006
【図５】
2018060434.tif 000007
【手続補正書】
【提出日】平成29年3月13日(2017.3.13)
【手続補正１】
【補正対象書類名】明細書
【補正対象項目名】０００１
【補正方法】変更
【補正の内容】
【０００１】
本発明は、ゴルフプレイ中におけるティーグラウンドでのティーショットの危険球発生に限らず第２打地点以降での危険球発生の事態においても、ゴルフ用カートの発進・停止ボタンと危険球発生の警告報知の危険ボタンとを組み込んで構成されプレイヤーが片手で簡易操作できる小型筐体に収置した無線操作端末の危険ボタンを押下操作するだけで、危険球発生位置から遠くにいる人でも聞き易く、しかも、ゴルフ場の自然環境に対応して最適化した警告音を一層的確に他のプレイヤーに危険状態を報知できるようにしたゴルフ危険球の警告音発呼システムに関するものである。
【手続補正２】
【補正対象書類名】明細書
【補正対象項目名】０００８
【補正方法】変更
【補正の内容】
【０００８】
本発明は、上記従来の事情に鑑みてなされたものであり、簡略安価な構成の基に、ゴルフプレイ中におけるティーグラウンドでのティーショットの危険球発生に限らず第２打地点以降での危険球発生の事態においても、ゴルフ用カートの発進・停止ボタンと危険球発生の警告報知の危険ボタンとを組み込んで構成されプレイヤーが片手で簡易操作できる小型筐体に収置した無線操作端末の危険ボタンを押下操作するだけで、危険球発生位置から遠くにいる人でも聞き易く、しかも、ゴルフ場の自然環境に対応して最適化した警告音を一層的確に他のプレイヤーに危険状態を報知できるようにしたゴルフ危険球の警告音発呼システムを提供する。
【手続補正３】
【補正対象書類名】明細書
【補正対象項目名】０００９
【補正方法】変更
【補正の内容】
【０００９】
本発明に係るゴルフ危険球の警告音発呼システムは、ゴルフプレイ中における危険球の発生をプレイヤーによる無線操作端末の操作によりゴルフ用のカートに設けた本体に接続したスピーカで報知するゴルフ危険球の警告音発呼システムであって、プレイヤーが片手で簡単操作可能に構成した小型筐体を形成し、この筐体に、前記無線操作端末自体の動作制御行う端末制御部と、本体無線送受信との間で無線交信する端末無線送受信部と、カート道上でゴルフ用のカートを発進・停止させる発進・停止ボタンと危険球発生時にプレイヤーが操作する危険ボタンとを備え、プレイヤーによる１回の危険ボタンの押下操作のみの極めて簡略な操作だけで、ティーグラウンドでのティーショットの危険球発生に限らず第２打地点以降での危険球発生の事態においても端末無線送信部から危険信号を無線送信可能な無線操作端末と、前記無線操作端末と無線交信する本体無線送受信部と、「ファー」又はこれに類似する危険を警告する音声を発生するための音声情報を記憶する音声情報記憶部と、前記音声情報に関する発音条件情報であって、聴感指向性を利用して遠くにいる人でも聞き易くするためのエコー音を含みゴルフ場の晴天、曇天、風の強弱や降雨の程度等の自然環境に最適化して他のプレイヤーに的確に危険状態を報知することができる警告音色から構成された発呼音色、発呼回数、発呼時間、発呼音量からなる発音条件情報をゴルフプレイ中においてもゴルフ場の自然環境の変化に即応して設定変更可能な入力操作部と、前記入力操作部からの発音条件情報を記憶する発音条件情報記憶部と、前記音声情報、発音条件情報を基に実際に発音するための発音情報を作成し出力する発音情報作成部と、を有し、ゴルフ用のカートに設けた本体と、前記本体と電気ケーブルで接続しゴルフ用のカートの天板部に設けられ、危険球発生場所から最も近い位置となるカートから「ファー」又はこれに類似する音声を設定した発音条件で危険球の警告音として外部に発呼するスピーカと、を具備したことを最も主要な特徴とする。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
請求項１記載の発明によれば、簡略安価な構成の基に、無線操作端末の危険ボタンの操作によりゴルフ用のカートに設けた本体の本体無線送受信部に危険信号を無線送信し、本体から予め記憶した「ファー」又はこれに類似する危険を警告する音声を発音するための音声情報をカートに設けられ本体と接続した電気ケーブルを介して発音手段に伝送し、発音手段から「ファー」又はこれに類似する危険を警告する音声を発呼することにより、ゴルフプレイ中にミスショットによる危険球が飛び出した場合の危険状態を的確に他のプレイヤーに報知することができ、しかも、前記「ファー」又はこれに類似する危険を警告する音声の発呼回数、発呼時間、発呼音量、エコー音を含む発呼音色からなる発音条件も変更可能であるため、ゴルフ場の自然環境（風の強弱や降雨の程度等）に対応してより的確に他のプレイヤーに対して危険状態を報知することができるゴルフ危険球の警告音発呼システムを実現し提供することができる。
すなわち、請求項１記載の発明によれば、簡略安価な構成の基に、ゴルフプレイ中におけるティーグラウンドでのティーショットの危険球発生に限らず第２打地点以降での危険球発生の事態においても、ゴルフ用カートの発進・停止ボタンと危険球発生の警告報知の危険ボタンとを組み込んで構成されプレイヤーが片手で簡易操作できる小型筐体に収置した無線操作端末の危険ボタンを押下操作するだけで、危険球発生位置から遠くにいる人でも聞き易く、しかも、ゴルフ場の自然環境に対応して最適化した警告音を一層的確に他のプレイヤーに危険状態を報知できるようにしたゴルフ危険球の警告音発呼システムを実現し提供することができる。
【手続補正７】
【補正対象書類名】明細書
【補正対象項目名】００１４
【補正方法】変更
【補正の内容】
【００１４】
本発明は、簡略安価な構成の基に、ゴルフプレイ中における危険球の発生をプレイヤーによる無線操作端末の操作によりゴルフ用のカートに設けた本体に接続したスピーカで報知するゴルフ危険球の警告音発呼システムを実現し提供するという目的を、プレイヤーが片手で簡単操作可能に構成した小型筐体を形成し、この筐体に、前記無線操作端末自体の動作制御行う端末制御部と、本体無線送受信との間で無線交信する端末無線送受信部と、カート道上でゴルフ用のカートを発進・停止させる発進・停止ボタンと危険球発生時にプレイヤーが操作する危険ボタンとを備え、プレイヤーによる１回の危険ボタンの押下操作のみの極めて簡略な操作だけで、ティーグラウンドでのティーショットの危険球発生に限らず第２打地点以降での危険球発生の事態においても端末無線送信部から危険信号を無線送信可能な無線操作端末と、前記無線操作端末と無線交信する本体無線送受信部と、「ファー」又はこれに類似する危険を警告する音声を発生するための音声情報を記憶する音声情報記憶部と、前記音声情報に関する発音条件情報であって、聴感指向性を利用して遠くにいる人でも聞き易くするためのエコー音を含みゴルフ場の晴天、曇天、風の強弱や降雨の程度等の自然環境に最適化して他のプレイヤーに的確に危険状態を報知することができる警告音色から構成された発呼音色、発呼回数、発呼時間、発呼音量からなる発音条件情報をゴルフプレイ中においてもゴルフ場の自然環境の変化に即応して設定変更可能な入力操作部と、前記入力操作部からの発音条件情報を記憶する発音条件情報記憶部と、前記音声情報、発音条件情報を基に実際に発音するための発音情報を作成し出力する発音情報作成部と、を有し、ゴルフ用のカートに設けた本体と、前記本体と電気ケーブルで接続しゴルフ用のカートの天板部に設けられ、危険球発生場所から最も近い位置となるカートから「ファー」又はこれに類似する音声を設定した発音条件で危険球の警告音として外部に発呼するスピーカと、を有する構成により実現した。
【手続補正８】
【補正対象書類名】明細書
【補正対象項目名】００１７
【補正方法】変更
【補正の内容】
【００１７】
前記本体３は、図２に示すように、本実施例に係るゴルフ危険球の警告音発呼システム１全体の動作を実行する本体制御部６と、本実施例に係るゴルフ危険球の警告音発呼システム１全体の動作を実行するためにペアリングプログラムを含む動作プログラムを格納したプログラムメモリ７と、無線操作端末２１と無線交信する本体無線送受信部８と、例えば「ファー」又はこれに類似する危険を警告するための音声を発音するための音声情報を記憶する音声情報記憶部９と、前記音声情報に関する発呼回数、発呼時間、後述するデジタルアンプ１３のゲイン（発呼音量）、発呼音色（例えば遠くにいる人でも聴感指向性を利用して聞き易くするためのエコー）等の発音条件情報を設定入力する入力操作部１０と、前記入力操作部１０からの発音条件情報を記憶する発音条件情報記憶部１１と、前記音声情報、発音条件情報を基に実際に発音するための発音情報を作成し出力する発音情報作成部１２と、前記発音情報を増幅し電気ケーブル４を介して前記スピーカ５に伝送するデジタルアンプ１３と、前記ペアリングプログラムに基づき本体無線送受信部８と後述する端末無線送受信部２３との間のペアリング処理を実行するペアリング処理部１５と、を有している。
【手続補正９】
【補正対象書類名】特許請求の範囲
【補正対象項目名】全文
【補正方法】変更
【補正の内容】
【特許請求の範囲】
【請求項１】
ゴルフプレイ中における危険球の発生をプレイヤーによる無線操作端末の操作によりゴルフ用のカートに設けた本体に接続したスピーカで報知するゴルフ危険球の警告音発呼システムであって、
プレイヤーが片手で簡単操作可能に構成した小型筐体を形成し、この筐体に、前記無線操作端末自体の動作制御行う端末制御部と、本体無線送受信との間で無線交信する端末無線送受信部と、カート道上でゴルフ用のカートを発進・停止させる発進・停止ボタンと危険球発生時にプレイヤーが操作する危険ボタンとを備え、プレイヤーによる１回の危険ボタンの押下操作のみの極めて簡略な操作だけで、ティーグラウンドでのティーショットの危険球発生に限らず第２打地点以降での危険球発生の事態においても端末無線送信部から危険信号を無線送信可能な無線操作端末と、
前記無線操作端末と無線交信する本体無線送受信部と、「ファー」又はこれに類似する危険を警告する音声を発生するための音声情報を記憶する音声情報記憶部と、前記音声情報に関する発音条件情報であって、聴感指向性を利用して遠くにいる人でも聞き易くするためのエコー音を含みゴルフ場の晴天、曇天、風の強弱や降雨の程度等の自然環境に最適化して他のプレイヤーに的確に危険状態を報知することができる警告音色から構成された発呼音色、発呼回数、発呼時間、発呼音量からなる発音条件情報をゴルフプレイ中においてもゴルフ場の自然環境の変化に即応して設定変更可能な入力操作部と、前記入力操作部からの発音条件情報を記憶する発音条件情報記憶部と、前記音声情報、発音条件情報を基に実際に発音するための発音情報を作成し出力する発音情報作成部と、を有し、ゴルフ用のカートに設けた本体と、
前記本体と電気ケーブルで接続しゴルフ用のカートの天板部に設けられ、危険球発生場所から最も近い位置となるカートから「ファー」又はこれに類似する音声を設定した発音条件で危険球の警告音として外部に発呼するスピーカと、
を具備したことを特徴とし、
ゴルフプレイ中におけるティーグラウンドでのティーショットの危険球発生に限らず第２打地点以降での危険球発生の事態においても、ゴルフ用カートの発進・停止ボタンと危険球発生の警告報知の危険ボタンとを組み込んで構成されプレイヤーが片手で簡易操作できる小型筐体に収置した無線操作端末の危険ボタンを押下操作するだけで、危険球発生位置から遠くにいる人でも聞き易く、しかも、ゴルフ場の自然環境に対応して最適化した警告音を一層的確に他のプレイヤーに危険状態を報知できるようにしたことを特徴とするゴルフ危険球の警告音発呼システム。